(57)【要約】      （修正有）【課題】より環境にやさしく、どこにでも移設・順応出来る簡単・単純なマルチ火消壺兼用かまど、ストーブ、発電機装置及び冷暖房空調装置を提供する。【解決手段】かまどは、少なくとも上部に開口部を有する耐熱性容器と、耐熱性容器の上部の開口部を開閉できるように設けられた耐震装置付き火消蓋と、着火装置とを備える。このかまどをストーブ、発電装置、冷暖房空調装置の熱源として用いる。【選択図】図１
0003172602.tif 000002
【実用新案登録請求の範囲】
【請求項１】
少なくとも上部に開口部を有する耐熱性容器と、前記耐熱性容器の上部の開口部を開閉できるように設けられた火消蓋と、着火装置とを備える、バイオマスペレット燃料用の火消し壺兼用熱源かまど。
【請求項２】
前記耐熱性容器が、珪藻土製の容器である、請求項１に記載の火消し壺兼用熱源かまど。
【請求項３】
さらに、踏み台と、前記踏み台と前記火消蓋とを連結する火消蓋開閉機構とを備える火消し壺兼用熱源かまどであって、
踏み台を操作することで、火消蓋開閉機構を通じて、火消蓋の開閉状態を制御するものである、請求項１又は２に記載の火消し壺兼用熱源かまど。
【請求項４】
前記着火装置が、ポリプロピレンを原料としたものを穴空き金属製ペレット状カプセルに収納させたものである、請求項１〜３のいずれかに記載の火消し壺兼用熱源かまど。
【請求項５】
請求項１〜４のいずれかに記載の火消し壺兼用熱源かまどを熱源として用いるストーブ。
【請求項６】
請求項１〜４のいずれかに記載の火消し壺兼用熱源かまどを熱源として用いるボイラーと、前記ボイラーで発生した蒸気で駆動する蒸気タービンと、前記蒸気タービンで発生した回転運動エネルギーを電気エネルギーに変換する発電装置。
【請求項７】
請求項１〜４のいずれかに記載の火消し壺兼用熱源かまどを熱源として用いるボイラーと、前記ボイラーで発生した蒸気で駆動する蒸気タービンと、前記蒸気タービンで発生した回転運動エネルギーを電気エネルギーに変換する発電装置と、前記蒸気タービンの蒸気排気口と接続された熱交換器と、前記発電装置で発生した電気によって駆動する冷暖房空調機とを備える、冷暖房空調装置。
【考案の詳細な説明】
【技術分野】
【０００１】
本考案は、専用ボイラーの熱源かまどとしても、又、単独でも料理用かまどとしても活用出来て、蒸気タービンの自家発電機とバッテリー充電池・インバーターで１００Ｖ電源も用意出来て、熱交換器を以って、モーターポンプ・送風機を自己完結型にて駆動させることで、冷暖両用となるバイオマスペレット順応かまどに関する。
【背景技術】
【０００２】
ペレットを燃料とするストーブやボイラーは、色々あるが、どの燃料源も、薪・バイオマスペレットも自在に使用できる内容の物はなくて、更に、有事の場合に複合的活用できるシステムになっていない。そればかりか、専用ペレットストーブはグリーンというタイトルのみに頼ったように高額過ぎてなじめず、大型・容量タイプで、しかも、費用対効果的にも難色を感じることを禁じえない。このように、従来のエネルギー燃料は、大型プラントでしか造れなくて、負の生産が甚だしいので、負を減らすには、よりセパレート化が希求されている。
本考案に関連して、特許文献１には、自家製の高密度グリーンなバイオマスペレット燃料の製造方法が記載されている。
【先行技術文献】
【特許文献】
【０００３】
【特許文献１】特許第４７４６７０５号
【考案の概要】
【考案が解決しようとする課題】
【０００４】
本考案は、上述した実情に鑑みてなされたものであり、より環境にやさしく、どこにでも移設・順応出来る簡単・単純なマルチかまど、ストーブ、及び冷暖房空調・給湯・発電装置を提供することを目的とする。
【課題を解決するための手段】
【０００５】
本考案者は、上記課題を解決すべく鋭意検討した結果、環境に優しいバイオマスペレット燃料熱源化でき、基本的構造部分についてどこにでもあり、販売・使用許可される既存道具・部品類を出来るだけ用いて簡単・単純なシステムを以って、旧来の化石・電気エネルギーの動力を廃して、バイオマス燃料からストーブで直接に、そして、複合的に、ボイラー・蒸気タービンの自家発電機で以ってそれに代えられる物とするために直接多目的なマルチかまどを考案した。
【０００６】
かくして本考案によれば、下記（１）〜（４）のバイオマスペレット燃料用の火消し壺兼用熱源かまど、（５）のストーブ、（６）の冷暖房空調装置、及び（７）の発電装置が提供される。
（１）少なくとも上部に開口部を有する耐熱性容器と、前記耐熱性容器の上部の開口部を開閉できるように設けられた火消蓋と、着火装置とを備える、バイオマスペレット燃料用の火消し壺兼用熱源かまど。
（２）前記耐熱性容器が、珪藻土製の容器である、（１）に記載の火消し壺兼用熱源かまど。
（３）さらに、踏み台と、前記踏み台と前記火消蓋とを連結する火消蓋開閉機構とを備える火消し壺兼用熱源かまどであって、踏み台を操作することで、火消蓋開閉機構を通じて、火消蓋の開閉状態を制御するものである、（１）又は（２）に記載の火消し壺兼用熱源かまど。
【０００７】
（４）前記着火装置が、ポリプロピレンを原料としたものを穴空き金属製ペレット状カプセルに収納させたものである、（１）〜（３）のいずれかに記載の火消し壺兼用熱源かまど。
（５）前記（１）〜（４）のいずれかに記載の火消し壺兼用熱源かまどを熱源として用いるストーブ。
（６）前記（１）〜（４）のいずれかに記載の火消し壺兼用熱源かまどを熱源として用いるボイラーと、前記ボイラーで発生した蒸気で駆動する蒸気タービンと、前記蒸気タービンで発生した運動エネルギーを電気エネルギーに変換する発電装置。
（７）前記（１）〜（４）のいずれかに記載の火消し壺兼用熱源かまどを熱源として用いるボイラーと、前記ボイラーで発生した蒸気で駆動する蒸気タービンと、前記蒸気タービンで発生した運動エネルギーを電気エネルギーに変換する発電装置と、前記蒸気タービンの蒸気排気口と接続された熱交換器と、前記発電機で発生した電気によって駆動する冷暖房空調機とを備える、冷暖房空調装置。
【考案の効果】
【０００８】
上記のようにセパレートであって、対既存化石・電気エネルギーに与しない、バイオマスペレット燃料・蒸気エネルギーとによるボイラー蒸気と変換電気とで単純・簡単構造にしてリーズナブルな低廉価格でしかも本格的な燃料源としてのバイオマスペレットかまどを環境・経済問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来るマルチタイプの熱源かまどを考案したのである。
【図面の簡単な説明】
【０００９】
【図１】本考案のかまど・火消壺の側断面図である。
【図２】本考案のかまど・火消壺の側断面図である。
【図３】本考案のストーブの正面図である。
【図４】本考案のストーブの側面図である。
【図５】本考案の冷暖房空調・発電装置を示す概念図である。
【考案を実施するための形態】
【００１０】
ペレット燃料順応かまどには、複合的マルチタイプの単体移設型システム内容が求められている。本考案のペレット燃料順応かまどは、その内容が難しくない簡単・単純なもので、複合的連関を発生させる考案実施の形態であって、バイオマスペレット燃料の専用かまどとして環境に優しく、高温に耐えられて、持ち運び移設に小型・簡便で、しかも安全であることを可能とした工夫がペレット熱源順応かまどである。
【００１１】
本考案に用いる燃料ペレットは特に制限されず、しかしながら、ダイオキシンや重金属の除去されていないものや、余分なものが混在している、例えば、放射能をかぶったバイオマスの除洗が出来ていないものは制限されるが、それらに対して前記特許文献１に記載のペレットは、燃料として全てを満たしている。
【００１２】
以下、添付図面符号に従って一実施例を説明する。
図１は、本考案のかまど・火消壺の実施例を示す側面図である。
図１中、１１はストーブ用耐熱珪藻土かまど、１４はバイオマスペレット燃料置き空気孔付き受皿、１５はかまど空気調整開閉調整口、２２は火消用落し蓋アジャスター継ぎ手、２３は火消用落し蓋アジャスター踏み台、２４は火消用落し蓋アジャスト重量（目皿・火消蓋・１４の燃料より重い）継ぎ手鉄棒、２５は、２７継ぎ手と一体構造の鋳物製目皿、２６は２３の踏み台の補助取手、２７は火消蓋・目皿自在継ぎ手（目皿と継ぎ手・火消蓋の支点のアジャスターの丁番（３３）にて、シーソー・上下降する）、２８は目皿・火消蓋アジャスター、２９は火消蓋（３２の目皿の自在取付具によって用をなして、それまでは単なる自在蓋であるが、２８のアジャスターの真下に位置して３１の火消壺内を密閉する。）、３０は火消蓋アジャスター継ぎ手支点、３１は火消壺・かまど、３２は目皿の火消蓋自在取付具、３３は、鋳物製目皿（２５）と火消蓋・目皿自在継ぎ手(２７）との継ぎ手である。
【００１３】
図１において、鋳物製目皿（２５）は、鋳物製目皿（２５）と火消蓋・目皿自在継ぎ手(２７）と目皿と継ぎ手・火消蓋の支点のアジャスターの丁番（３３）において回動自在に取り付けられており、通常は、２５、２９の鋳物製目皿、火消用落し蓋と１４の燃料重量（目皿より重い）継ぎ手鉄棒（２４）の重力により、火消蓋・目皿自在継ぎ手（２７）に図中下方向に力が働くことで、鋳物製目皿（２５）は、目皿・火消蓋アジャスター（２８）よりくり抜かれた形が正確にはまり込む（目皿の枠内定位置）ことで、３２の取付具によって２９の火消蓋が２８のアジャスターの真下にくるように固定されている。
【００１４】
図１に示すかまど・火消壺は、バイオマスペレット燃料をバイオマスペレット燃料置き空気孔付き受皿（１４）内に入れ、２９の火消蓋を３２の自在取付具より放すに、２５の目皿の隙間から軽くたたき落とすか、取付具を解放して、３１火消壺・かまど内に落とし、１５のかまど空気調整口を開けて、そこでバイオマスペレット燃料を燃焼させる装置である。
【００１５】
また、使用を中断したい場合等においては、以下のように、燃焼中のバイオマスペレット燃料を火消壺（３１）中に落とし、消火することができる。すなわち、火消用落し蓋アジャスター踏み台（２３）を足で踏むことにより、２５の目皿２８の火消用落し蓋、１４の中身の燃料の合計重量より重い継ぎ手鉄棒（２４）が、図中、上方向に移動し、火消用落し蓋アジャスター継ぎ手（２２）及び火消蓋・目皿自在継ぎ手（２７）が、図中、上方向に移動すると、目皿・火消蓋アジャスター（２８）の真下にくるように固定されていた鋳物製目皿（２５）は、目皿と継ぎ手・火消蓋の支点のアジャスターの丁番（３３）において下方向に回転して、図２に示す状態になる。そして、バイオマスペレット燃料置き空気孔付き受皿（１４）内の燃料ペレットが火消壷内に落下する。火消壷内は酸素不足の状態になっている為、消火が行われる。この状態を、図２でより詳細に説明する。
【００１６】
火消用落し蓋アジャスター踏み台（２３）から足を離すと、火消用落し蓋アジャスト重量（目皿より重い）継ぎ手鉄鋳物棒（２４）が、図中、重力により下方向に移動し、火消用落し蓋アジャスター継ぎ手（２２）及び火消蓋・目皿自在継ぎ手（２７）が、図中、下方向に移動することで、鋳物製目皿（２５）は、目皿・火消蓋アジャスター（２８）の枠内定位置・真下に固定される。
【００１７】
また、火消壺（３１）内に落下し、消火された燃料ペレットは、再利用することができる。前記（３）の特許文献の燃料ペレットは、高密度・燃焼、着火し難いので、ポリプロピレンを原料としたものを穴空き金属製ペレット状カプセルに収納させた着火装置を使用することが好ましい。
【００１８】
本考案の第２は、本考案の火消し壺兼用熱源順応かまどを熱源として利用するストーブである。本考案のストーブの断面図を図３、４に示す。図３、４中、１はバイオマスペレットかまど・火消蓋付き壺熱源、１４はバイオマスペレット燃料置き空気孔付き受皿、３４はストーブ煙突、３５は薪ストーブ窓、３６はストーブ灰皿受けであるので、薪を燃やし入れたいときには、順応かまどをストーブから取り出せば、薪ストーブになる。
【００１９】
本考案の第３は、本考案の火消し壺兼用熱源かまどを熱源として用いるボイラーと、前記ボイラーで発生した蒸気で駆動する蒸気タービンと、前記蒸気タービンで発生した（高速）回転運動エネルギーを電気エネルギーに変換する発電装置と、前記蒸気タービンの蒸気排気口と接続された熱交換器と、前記発電機で発生した電気によって、（ｉ）そのまま直流２４Ｖ電源としての利用で以って駆動サポートする冷暖房空調機とを備える、冷暖房空調装置、及び、（ｉｉ）直流２４Ｖ電気をバッテリーに充電して、尚且つインバーターを経て交流１００Ｖ電源に変換して利用できる発電装置である。
【００２０】
本考案の冷暖房空調・発電装置の模式図を図５に示す。図中、バイオマスペレットかまど・火消蓋付き壺熱源（１）で発生した熱により、ボイラー（２）に収容された水を沸騰させ、高温、高圧蒸気により蒸気タービン（３）をまわして発電を行い、得られた電気により、交流１００Ｖ電源に変換して用いる発電装置であり、余力直流２４Ｖ電気は、冷暖房空調を十二分にサポートして行う装置である。図５中、１はバイオマスペレットかまど・火消蓋付き壺熱源、２はボイラー、３は蒸気タービン、４は２４Ｖ直流発電機、５は熱交換器、６は電気モーター（電力は自己完結方式）、７は循環ポンプ、８）は発電余力電力の充電用安全機、９は１２Ｖデイープバッテリー（２台で計２４Ｖ）、１０は直流電気の交流１００Ｖ変換インバーターである。
【符号の説明】
【００２１】
１・・・バイオマスペレットかまど・火消蓋付き壺熱源
２・・・ボイラー
３・・・蒸気タービン
４・・・２４Ｖ直流発電機
５・・・熱交換器
６・・・電気モーター（電力は自己完結方式）
７・・・循環ポンプ
８・・・発電余力電力の充電用安全機
９・・・１２Ｖデイープバッテリー×２＝２４Ｖ
１０・・・直流電気の交流１００Ｖ・正弦波長変換インバーター
１１・・・ストーブ用の耐熱珪藻土かまど
１２・・・アジャスト薪空気孔付き受け皿（薪を用いる場合のストーブ用部材。）
１３・・・前記１の火消開閉蓋（取換用部品。）
１４・・・バイオマスペレット燃料置き空気孔付き受皿
１５・・・かまど空気調性開閉調整口（引き違い戸かはめ込み栓方式の何れか。）
１６・・・アジャスト空気孔筒伸縮調性蛇腹（内気導入を止めて、外気導入時の備品）
１７・・・スチール着火カプセル（ポリプロピレンにてコークスも着火出来る。）
１８・・・ストーブ（ホームセンター市販の物。）
１９・・・モーター・ヒーター付き送風ファン
２０・・・冷媒機
２１・・・モーター付き圧縮ポンプ
２２・・・火消用落し蓋アジャスター継ぎ手
２３・・・火消用落し蓋アジャスター踏み台
２４・・・火消用落し蓋アジャスト重量（目皿＋火消蓋＋１４の燃料合計より重い。）継
ぎ手鉄棒
２５・・・２７継ぎ手と一体構造の鋳物製目皿（２８のアジャスターを目皿の型に刳り抜いた形体）
２６・・・踏み台の補助取っ手
２７・・・火消蓋・目皿自在継ぎ手（２８アジャスターの丁番を支点に上下降する）
２８・・・目皿・火消蓋アジャスター
２９・・・火消蓋（３２取付具によって２５の目皿と一体化出来、それまでは落蓋。）
３０・・・火消蓋アジャスター継ぎ手支点
３１・・・火消壺・かまど（珪藻土）
３２・・・目皿の火消蓋自在取付具
３３・・・目皿と継ぎ手・火消蓋の支点のアジャスターの丁番
３４・・・ストーブ煙突
３５・・・薪ストーブ窓
３６・・・ストーブ灰皿受け
【図１】
0003172602.tif 000003
【図２】
0003172602.tif 000004
【図３】
0003172602.tif 000005
【図４】
0003172602.tif 000006
【図５】
0003172602.tif 000007
【手続補正書】
【提出日】平成23年9月28日(2011.9.28)
【手続補正１】
【補正対象書類名】明細書
【補正対象項目名】０００２
【補正方法】変更
【補正の内容】
【０００２】本考案に関連して、特許文献１には、自家製の高密度グリーンなバイオマスペレット燃料の製造方法が記載されている。［特許文献］
【手続補正２】
【補正対象書類名】明細書
【補正対象項目名】０００６
【補正方法】変更
【補正の内容】
【０００６】  かくして本考案によれば、下記（１）〜（４）のバイオマスペレット燃料用の火消壺兼用熱源かまど、（５）のストーブ、（６）の発電装置、及び（７）の冷暖房空調装置が提供される。
【手続補正３】
【補正対象書類名】明細書
【補正対象項目名】００１１
【補正方法】変更
【補正の内容】
【００１１】  本考案に用いる燃料ペレットは特に制限されず、しかしながら、ダイオキシンや重金属の除去されていないものや、余分なものが混在している、例えば、放射能をかぶったバイオマスの除染ができていないものは制限されるが、それらに対して、前記特許文献１に記載のペレットは、燃料として全てを満たしている。
【手続補正４】
【補正対象書類名】明細書
【補正対象項目名】００２１
【補正方法】変更
【補正の内容】
【００２１】火消用落し蓋アジャスト重量（目皿＋火消蓋＋１４の燃料合計より重い。）継手鋳・鉄棒
【手続補正５】
【補正対象書類名】図面
【補正対象項目名】図１
【補正方法】変更
【補正の内容】
【図１】
0003172602.tif 000008
【手続補正６】
【補正対象書類名】図面
【補正対象項目名】図２
【補正方法】変更
【補正の内容】
【図２】
0003172602.tif 000009
【手続補正書】
【提出日】平成23年10月4日(2011.10.4)
【手続補正１】
【補正対象書類名】明細書
【補正対象項目名】０００２
【補正方法】変更
【補正の内容】
【０００２】  ペレットを燃料とするストーブやボイラーは、色色あるが、どの燃料源も、薪・バイオマスペレットも自在に使用出来る内容の物はなくて、更に、有事の場合に複合的活用できるシステムになっていない。そればかりか、専用ペレットストーブはグリーンというタイトルのみに頼ったように高額過ぎてなじめず、大型・容量タイプで、しかも、費用対効果的にも難色を感じることを禁じえない  、  このように、従来のエネルギー燃料は、大型プラントでしか造れなくて、負の生産が甚だしいので、負を減らすには、よりセパレート化が希求されている。
本考案に関連して、特許文献＿には、自家製の高密度グリーンなバイオマスペレット燃料の製造方法が記載されている。
【手続補正２】
【補正対象書類名】明細書
【補正対象項目名】０００３
【補正方法】変更
【補正の内容】
【０００３】
【特許文献】特許第４７４６７０５号
【手続補正３】
【補正対象書類名】明細書
【補正対象項目名】０００６
【補正方法】変更
【補正の内容】
【０００６】  かくして本考案によれば、下記（１）〜（４）のバイオマスペレット燃料用の火消壺兼用熱源かまど、（５）のストーブ、（６）の発電装置、及び（７）の冷暖房空調装置が提供される。
（１）少なくとも上部に開口部を有する耐熱性容器と、前記耐熱性容器の上部の開口部を      開閉できるように設けられた火消蓋と、着火装置とを備える、バイオマスペレット      燃料用の火消壺兼用熱源かまど。
（２）前記耐熱性容器が、珪藻土製の容器である、（１）に記載の火消し壺兼用熱源かま      ど。
（３）さらに、踏み台と、前記踏み台と前記火消蓋とを連結する火消蓋開閉機構とを備え      る火消し壺兼用熱源かまどであって、踏み台を操作することで、火消蓋開閉機構を      通じて、火消蓋の開閉状態を制御するものであｒ、（１）又は（２）に記載の火消      し壺兼用熱源かまど。
【手続補正４】
【補正対象書類名】明細書
【補正対象項目名】００１１
【補正方法】変更
【補正の内容】
【００１１】  本考案に用いる燃料ペレットは特に制限されず、しかしながら、ダイオキシンや重金属の除去されていないものや、余分なものが混在している、例えば、放射能をかぶったバイオマスの除染ができていないものは制限されるが、それらに対して、前記特許文献１に記載のぺレットは、燃料として全てを満たしている。
【手続補正５】
【補正対象書類名】明細書
【補正対象項目名】００２１
【補正方法】変更
【補正の内容】
【００２１】１・・・バイオマスペレットかまど・火消蓋付き壺熱源
２・・・ボイラー
３・・・蒸気タービン
４・・・２４Ｖ直流発電機
５・・・熱交換器
６・・・電気モーター（電力は自己完結方式）
７・・・循環ポンプ
８・・・発電余力電力の充電用安全機
９・・・１２Ｖディープバッテリー×２＝２４Ｖ
１０・・・直流電気の交流１００Ｖ・正弦波長変換インバーター
１１・・・ストーブ用の耐熱珪藻土かまど
１２・・・アジャスト薪空気孔付き受け皿（薪を用いる場合のストーブ用部材。）
１３・・・前記１の火消開閉蓋（取換用部品。）
１４・・・バイオマスペレット燃料置き空気孔付き受皿
１５・・・かまど空気調性開閉調整口（引き違い戸かはめ込み栓方式の何れか。）
１６・・・アジャスト空気孔筒伸縮調性蛇腹（内気導入を止めて、外気導入時の備品）
１７・・・スチール着火カプセル（ポリプロピレンにてコークスも着火出来る。）
１８・・・ストーブ（ホームセンター市販の物。）
１９・・・モーター・ヒーター付き送風ファン
２０・・・冷媒機
２１・・・モーター付き圧縮ポンプ
２２・・・火消用落し蓋アジャスター継ぎ手
２３・・・火消用落し蓋アジャスター踏み台
２４・・・火消用落し蓋アジャスト重量（目皿＋火消蓋＋１４の燃料合計より重い。）継          ぎ手鋳・鉄棒
２５・・・２７継ぎ手と一体構造の鋳物製目皿（２８のアジャスターを目皿の型に刳り抜          いた形体）
２６・・・踏み台の補助取っ手
２７・・・火消蓋・目皿自在継ぎ手（２８アジャスターの丁番を支点に上下降する）
２８・・・目皿・火消蓋アジャスター
２９・・・火消蓋（３２取付具によって２５の目皿と一体化出来、それまでは落蓋。）
３０・・・火消蓋アジャスター継ぎ手支点
３１・・・火消壺・かまど（珪藻土）
３２・・・目皿の火消蓋自在取付具
３３・・・目皿と継ぎ手・火消蓋の支点のアジャスターの丁番
３４・・・ストーブ煙突
３５・・・薪ストーブ窓
３６・・・ストーブ灰皿受け
【手続補正６】
【補正対象書類名】図面
【補正対象項目名】図１
【補正方法】変更
【補正の内容】
【図１】
0003172602.tif 000010
【手続補正７】
【補正対象書類名】図面
【補正対象項目名】図２
【補正方法】変更
【補正の内容】
【図２】
0003172602.tif 000011
【手続補正書】
【提出日】平成23年10月17日(2011.10.17)
【手続補正１】
【補正対象書類名】実用新案登録請求の範囲
【補正対象項目名】請求項１
【補正方法】変更
【補正の内容】
【請求項１】
少なくとも上部に開口部を有する耐熱性容器と、前記耐熱性容器の上部の開口部を開閉できるように設けられた火消蓋と、着火装置とを備える、バイオマスペレット燃料用の火消し壺兼用熱源順応かまど。
【手続補正２】
【補正対象書類名】実用新案登録請求の範囲
【補正対象項目名】請求項２
【補正方法】変更
【補正の内容】
【請求項２】
前記耐熱性容器が、珪藻土製の容器である、請求項１に記載の火消し壺兼用熱源順応かまど。
【手続補正３】
【補正対象書類名】実用新案登録請求の範囲
【補正対象項目名】請求項３
【補正方法】変更
【補正の内容】
【請求項３】
さらに、踏み台と、前記踏み台と前記火消蓋とを連結する火消蓋開閉機構とを備える火消し壺兼用熱源順応かまどであって、踏み台を操作することで、火消蓋開閉機構を通じて、火消蓋の開閉状態を制御するものである、請求項１又は２に記載の火消し壺兼用熱源順応かまど。
【手続補正４】
【補正対象書類名】実用新案登録請求の範囲
【補正対象項目名】請求項４
【補正方法】変更
【補正の内容】
【請求項４】
前記着火装置が、ポリプロピレンを原料としたものを穴空き金属製ペレット状カプセルに収納させたものである、請求項１〜３のいずれかに記載の火消し壺兼用熱源順応かまど。
【手続補正５】
【補正対象書類名】実用新案登録請求の範囲
【補正対象項目名】請求項５
【補正方法】変更
【補正の内容】
【請求項５】
請求項１〜４のいずれかに記載の火消し壺兼用熱源順応かまどを熱源として用いるストーブ。
【手続補正６】
【補正対象書類名】実用新案登録請求の範囲
【補正対象項目名】請求項６
【補正方法】変更
【補正の内容】
【請求項６】
請求項１〜４のいずれかに記載の火消し壺兼用熱源順応かまどを熱源として用いるボイラーと、前記ボイラーで発生した蒸気で駆動する蒸気タービンと、前記蒸気タービンで発生した高速回転運動エネルギーを高出力電気エネルギーに変換する発電機装置。
【手続補正７】
【補正対象書類名】実用新案登録請求の範囲
【補正対象項目名】請求項７
【補正方法】変更
【補正の内容】
【請求項７】
請求項１〜４のいずれかに記載の火消し壺兼用熱源順応かまどを熱源として用いるボイラーと、前記ボイラーで発生した蒸気で駆動する蒸気タービンと、前記蒸気タービンで発生した高速回転運動エネルギーを高出力電気エネルギーに変換する発電機と、前記蒸気タービンの蒸気排気口と接続された熱交換器と、前記発電機で発生した電気によって駆動する冷暖房空調機とを備える、冷暖房空調機装置。
【手続補正９】
【補正対象書類名】明細書
【補正対象項目名】０００１
【補正方法】変更
【補正の内容】
【０００１】  本考案は、専用ボイラーの熱源かまどとしても、又、単独でも料理用かまどとしても活用出来て、蒸気タービンの自家発電機とバッテリー充電池・インバーターで１００Ｖ電源も用意出来て、熱交換器を以って、モーターポンプ・送風機を自己完結型にて駆動させることで、冷暖両用となるバイオマスペレット燃料用火消し壺兼用熱源順応かまどに関する。
【手続補正１０】
【補正対象書類名】明細書
【補正対象項目名】０００２
【補正方法】変更
【補正の内容】
【０００２】  ペレットを燃料とするストーブやボイラーは、色々あるが、どの燃料源も、薪・バイオマスペレットも自在に使用出来る内容の物はなくて、更に、有事の場合に複合的活用できるシステムになっていない、そればかりか、専用ペレットストーブはグリーンというタイトルのみに頼ったように高額過ぎてなじめず、大型・容量タイプで、しかも、費用対効果的にも難色を感じることを禁じえない  、このように、従来のエネルギー燃料は、大型プラントでしか造れなくて、負の生産が甚だしいので、負を減らすには、よりセパレート化が希求されている、  本考案に関連して、特許文献には、自家製の高密度グリーンなバイオマスペレット燃料の製造方法が記載されている。
【手続補正１１】
【補正対象書類名】明細書
【補正対象項目名】０００３
【補正方法】変更
【補正の内容】
【０００３】
【特許文献】特許第４７４６７０５号
【手続補正１２】
【補正対象書類名】明細書
【補正対象項目名】０００６
【補正方法】変更
【補正の内容】
【０００６】  かくして本考案によれば、下記（１）〜（４）のバイオマスペレット燃料用の火消し壺兼用熱源順応かまど、（５）のストーブ、（６）の発電機装置、及び（７）の冷暖房空調機装置が提供される。（１）少なくとも上部に開口部を有する耐熱性容器と、前記耐熱性容器の上部の開口部を      開閉できるように設けられた火消蓋と、着火装置とを備える、バイオマスペレット      燃料用の火消し壺兼用熱源順応かまど。（２）前記耐熱性容器が、珪藻土製の容器である、（１）に記載の火消し壺兼用熱源順応      かまど。（３）さらに、踏み台と、前記踏み台と前記火消蓋とを連結する火消蓋開閉機構とを備え      る火消し壺兼用熱源順応かまどであって、踏み台を操作することで、火消蓋開閉機      構を通じて、火消蓋の開閉状態を制御するものである、（１）又は（２）に記載の      火消し壺兼用熱源竈順応かまど。
【手続補正１３】
【補正対象書類名】明細書
【補正対象項目名】０００７
【補正方法】変更
【補正の内容】
【０００７】（４）前記着火装置が、ポリプロピレンを原料としたものを穴空き金属製ペレット状カプセルに収納させたものである、（１）〜（３）のいずれかに記載の火消し壺兼用熱源順応かまど。（５）前記（１）〜（４）のいずれかに記載の火消し壺兼用熱源順応かまどを熱源として用いるストーブ。（６）前記（１）〜（４）のいずれかに記載の火消し壼兼用熱源順応かまどを熱源として用いるボイラーと、前記ボイラーで発生した蒸気で駆動する蒸気タービンと、前記蒸気タービンで発生した高速回転運動エネルギーを高出力電気エネルギーに変換する発電機装置。（７）前記（１）〜（４）のいずれかに記載の火消し壺兼用熱源順応かまどを熱源として用いるボイラーと、前記ボイラーで発生した蒸気で駆動する蒸気タービンと、前記蒸気タービンで発生した高速回転運動エネルギーを高出力電気エネルギーに変換する発電機と、前記蒸気タービンの蒸気排気口と接続された熱交換器と、前記発電機で発生した電気によって駆動する冷暖房空調機とを備える、冷暖房空調機装置。
【手続補正１４】
【補正対象書類名】明細書
【補正対象項目名】０００９
【補正方法】変更
【補正の内容】
【０００９】
【図１】本考案の火消し壺兼用熱源順応かまどの側断面図である。
【図２】本考案の火消し壺兼用熱源順応かまどの側断面図である。
【図３】本考案のストーブの正面図である。
【図４】本考案のストーブの側面図である。
【図５】本考案の冷暖房空調・発電機装置を示す概念図である。
【手続補正１５】
【補正対象書類名】明細書
【補正対象項目名】００１０
【補正方法】変更
【補正の内容】
【００１０】  ペレット燃料順応かまどには、複合的マルチタイプの単体移設型システム内容が求められている、本考案のペレット燃料火消し壺兼用熱源順応かまどは、その内容が難しくない簡単・単純なもので、複合的連関を発生させる考案実施の形態であって、バイオマスペレット燃料の専用かまどとして環境に優しく、高温に耐えられて、持ち運び移設に小型・簡便で、しかも安仝であることを可能とした工夫がバイオマスペレット燃料用火消し壺兼用熱源順応かまどである。
【手続補正１６】
【補正対象書類名】明細書
【補正対象項目名】００１１
【補正方法】変更
【補正の内容】
【００１１】  本考案に用いる燃料ペレットは特に制限されず、しかしながら、ダイオキシンや重金属の除去されていないものや、余分なものが混在している、例えば、放射能をかぶったバイオマスの除染ができていないものは制限されるが、それらに対して、前記特許文献＿に記載のペレットは、燃料として全てを満たしている。
【手続補正１７】
【補正対象書類名】明細書
【補正対象項目名】００１２
【補正方法】変更
【補正の内容】
【００１２】  以下、添付図面符号に従って一実施例を説明する、図１は、本考案の火消し壺兼用熱源順応かまどの実施例を示す側面図である、図１中、（１１）は、ストーブ用耐熱珪藻土かまど、（１４）は、バイオマスペレット燃料置き空気孔付き受皿、（１５）は、かまど空気調整開閉調整口、（２２）は、火消用落し蓋アジャスター継ぎ手、（２３）は、火消用落し蓋アジャスター踏み台、（２４）は、火消用落し蓋アジャスト重量（目皿・火消蓋・（１４）の燃料より重い）継ぎ手鉄棒、（２５）は、（２７）継ぎ手と一体構造の鋳物製目皿、（２６）は、（２３）の踏み台の補助取手、（２７）は火消蓋・目皿自在継ぎ手（目皿と継ぎ手・火消蓋の支点のアジャスターの丁番（３３）にて、シーソー・上下降する）、（２８）は、目皿・火消蓋アジャスター、（２９）は、火消蓋（（３２）の目皿の自在取付具によって用をなして、それまでは単なる自在蓋であるが、（２８）のアジャスターの真下に位置して（３１）の火消壺内を密閉する。）、（３０）は、火消蓋アジャスター継ぎ手支点、（３１）は、火消壺・かまど、（３２）は、目皿の火消蓋自在取付具、（３３）は、鋳物製目皿（２５）と火消蓋・目皿自在継ぎ手（２７）との継ぎ手である。
【手続補正１８】
【補正対象書類名】明細書
【補正対象項目名】００１３
【補正方法】変更
【補正の内容】
【００１３】  図１において、鋳物製目皿（２５）は、鋳物製目皿（２５）と火消蓋・目皿自在継ぎ手（２７）と目皿と継ぎ手・火消蓋の支点のアジャスターの丁番（３３）においてシーソー回動自在に取り付けられており、通常は、（２５）、（２９）の鋳物製目皿、火消用落し蓋と（１４）の燃料重量（目皿より重い）継ぎ手鉄棒（２４）の重力により、火消蓋・目皿自在継ぎ手（２７）に図中下方向に力が働くことで、鋳物製目皿（２５）は、目皿・火消蓋アジャスター（２８）よりくり抜かれた形が正確にはまり込む（目皿の枠内定位置）ことで、（３２）の取付具によって（２９）の火消蓋が（２８）のアジャスターの真下にくるように固定されている。
【手続補正１９】
【補正対象書類名】明細書
【補正対象項目名】００１４
【補正方法】変更
【補正の内容】
【００１４】  図１に示す火消し壺兼用熱源順応かまどは、バイオマスペレット燃料をバイオマスペレット燃料置き空気孔付き受け皿（１４）内に入れ、（２９）の火消蓋を（３２）の自在取付具より放すに、（２５）の目皿の隙間から軽くたたき落とすか、（３２）の自在取付具を解放して、（３１）の火消壺・かまど内に落とし、（１５）のかまど空気調整口を開けて、そこでバイオマスペレット燃料を燃焼させる装置である。
【手続補正２０】
【補正対象書類名】明細書
【補正対象項目名】００１５
【補正方法】変更
【補正の内容】
【００１５】  また、使用を中断したい場合等においては、以下のように、燃焼中のバイオマスペレット燃料を火消壼（３１）中に落とし、消火することができる、すなわち、火消用落し蓋アジャスター踏み台（２３）を足で踏むことにより、（２５）の目皿２８の火消用落し蓋、（１４）の中身の燃料の合計重量より重い継ぎ手鉄棒（２４）が、図中、上方向に移動し、火消用落し蓋アジャスター継ぎ手（２２）及び火消蓋・目皿自在継ぎ手（２７）が、図中、上方向に移動すると、目皿・火消蓋アジャスター（２８）の真下にくるように固定されていた鋳物製目皿（２５）は、目皿と継ぎ手・火消蓋の支点のアジャスターの丁番（３３）において下方向に回転して、図２に示す状態になる。そして、バイオマスペレット燃料置き空気孔付き受皿（１４）内の燃料ペレットが火消壷内に落下して、燃料が落下した分の重量合計の軽くなった分、（２５），（２８）、の合計重量を上回った継手鋳・鉄棒（２４）の重力にて、継手（２２）と下方向に移動して、継手（２７）と一体構造の（２５）は丁番（３３）において回転して、（２５）は（３２）によって火消蓋（２８）をとらえた状態にて、密封した状態となり、火消壷内は酸素不足の状態になっている為、消火が行われる。この状態を、図２でより詳細に説明する。
【手続補正２１】
【補正対象書類名】明細書
【補正対象項目名】００１８
【補正方法】変更
【補正の内容】
【００１８】  本考案の第２は、本考案の火消し壺兼用熱源順応かまどを熱源として利用するストーブである、本考案のストーブの断面図を図３、４に示す。図３、４中、（１）は、バイオマスペレット燃料用火消し壺兼用熱源順応かまど、（１４）は、バイオマスペレット燃料置き空気孔付き受皿、（３４）は、ストーブ煙突、（３５）は、薪ストーブ窓、（３６）は、ストーブ灰皿受けであるので、薪を燃やし入れたいときには、燃料用火消し壺兼用熱源順応かまどをストーブから取り出せば、薪ストーブになる。
【手続補正２２】
【補正対象書類名】明細書
【補正対象項目名】００１９
【補正方法】変更
【補正の内容】
【００１９】  本考案の第３は、本考案の火消し壺兼用熱源順応かまどを熱源として用いるボイラーと、前記ボイラーで発生した蒸気で駆動する蒸気タービンと、前記蒸気タービンで発生した（高速回転）運動エネルギーを（高出力）電気エネルギーに変換する発電機と、前記蒸気タービンの蒸気排気口と接続された熱交換器と、前記発電機で発生した電気によって、（ｉ）そのまま直流２４Ｖ電源としての利用で以って駆動サポートする冷暖房空調機とを備える、冷暖房空調機装置、及び、（ｉｉ）直流２４Ｖ電気をバッテリーに充電して、尚且つインバーターを経て交流１００Ｖ電源に変換して利用できる発電機装置である。
【手続補正２３】
【補正対象書類名】明細書
【補正対象項目名】００２０
【補正方法】変更
【補正の内容】
【００２０】  本考案の冷暖房空調・発電機装置の模式図を図５に示す。図中、バイオマスペレット燃料用火消し壺兼用熱源順応かまど（１）で発生した熱により、ボイラー（２）に収容された水（沸点調性剤使用も可）を沸騰させ、高温、高圧蒸気により蒸気タービン（３）をまわして発電を行い、得られた電気により、交流１００Ｖ電源に変換して用いる発電機装置であり、余力直流２４Ｖ電気は、冷暖房空調を十二分にサポートして行う装置である、図５中、（１）は、バイオマスペレット燃料用火消し壺兼用熱源順応かまど（２）はボイラー、（３）は蒸気タービン、（４）は２４Ｖ直流発電機、（５）は、熱交換器、（６）は、電気モーター（電力は自己完結方式）、（７）は、循環ポンプ、（８）は、発電余力電力の充電用安全機、（９）は、１２Ｖディープバッテリー（２台で計２４Ｖ）、（１０）は、直流電気の交流１００Ｖ変換インバーターである。
【手続補正２４】
【補正対象書類名】明細書
【補正対象項目名】００２１
【補正方法】変更
【補正の内容】
【００２１】１・・・バイオマスペレット燃料用火消し壺兼用熱源順応かまど２・・・ボイラー３・・・蒸気タービン４・・・２４Ｖ直流発電機５・・・熱交換器６・・・電気モーター（電力は自己完結方式）７・・・循環ポンプ８・・・発電余力電力の充電用安全機９・・・１２Ｖディープバッテリー×２＝２４Ｖ１０・・・直流電気の交流１００Ｖ・正弦波長変換インバーター１１・・・ストーブ用の耐熱珪藻土かまど１２・・・アジャスト薪空気孔付き受け皿（薪を用いる場合のストーブ用部材。）１３・・・前記１の火消開閉蓋（取換用部品。）１４・・・バイオマスペレット燃料置き空気孔付き受皿１５・・・かまど空気調性開閉調整口（引き違い戸かはめ込み栓方式の何れか。）１６・・・アジャスト空気孔筒伸縮調性蛇腹（内気導入を止めて、外気導入時の備品）１７・・・スチール着火カプセル（ポリプロピレンにてコークスも着火出来る。）１８・・・ストーブ（ホームセンター市販の物。）１９・・・モーター・ヒーター付き送風ファン２０・・・冷媒機２１・・・モーター付き圧縮ポンプ２２・・・火消用落し蓋アジャスター継ぎ手２３・・・火消用落し蓋アジャスター踏み台２４・・・火消用落し蓋アジャスト重量（目皿＋火消蓋＋１４の燃料合計より重い。）継ぎ手鋳・鉄棒２５・・・２７継ぎ手と一体構造の鋳物製目皿（２８のアジャスターを目皿の型に刳り抜いた形体）２６・・・踏み台の補助取っ手２７・・・火消蓋・目皿自在継ぎ手（２８アジャスターの丁番（３３）を支点に上下降する）２８・・・目皿・火消蓋アジャスター２９・・・火消蓋（３２自在取付具によって２５の目皿と一体化出来、それまでは落蓋。）３０・・・火消蓋アジャスター継ぎ手支点３１・・・火消壺・かまど（珪藻土）３２・・・目皿の火消蓋自在取付具と付属自在解除具３３・・・目皿と継ぎ手・火消蓋の支点のアジャスターの丁番３４・・・ストーブ煙突３５・・・薪ストーブ窓３６・・・ストーブ灰皿受け
【手続補正２５】
【補正対象書類名】図面
【補正対象項目名】図１
【補正方法】変更
【補正の内容】
【図１】
0003172602.tif 000012
【手続補正２６】
【補正対象書類名】図面
【補正対象項目名】図２
【補正方法】変更
【補正の内容】
【図２】
0003172602.tif 000013
【手続補正２７】
【補正対象書類名】図面
【補正対象項目名】図３
【補正方法】変更
【補正の内容】
【図３】
0003172602.tif 000014
【手続補正２８】
【補正対象書類名】図面
【補正対象項目名】図４
【補正方法】変更
【補正の内容】
【図４】
0003172602.tif 000015
【手続補正２９】
【補正対象書類名】図面
【補正対象項目名】図５
【補正方法】変更
【補正の内容】
【図５】
0003172602.tif 000016